【事件の表示】
　特願２０１３−１６０９１７号「遊技機」拒絶査定不服審判事件〔平成２７年２月１６日出願公開、特開２０１５−２９６５７号〕について、次のとおり審決する。
【結　論】
　本件審判の請求は、成り立たない。
【理　由】
第１　手続の経緯 
　本願は、平成２５年８月２日の出願であって、平成２９年３月１７日付けの拒絶理由通知に対し、同年５月２２日に意見書及び手続補正書が提出され、同年６月７日付け（発送日：６月１３日）で拒絶査定（以下、「原査定」という。）がなされ、これに対して、平成２９年９月５日に拒絶査定不服審判の請求がなされると同時に手続補正（以下、「本件補正」という。）がなされたものである。 
  
第２　本件補正についての補正の却下の決定 
［補正の却下の決定の結論］ 
　本件補正を却下する。 
 
［理由］ 
１．本件補正の概要 
　本件補正は、本件補正前の特許請求の範囲の請求項２及び請求項３を削除し、請求項１に請求項４に係る構成を加えるとともに、サブ制御装置の制御について限定を加えることを主旨とする内容の補正を含むものであって、平成２９年５月２２日付けの手続補正と本件補正の特許請求の範囲の請求項１の記載はそれぞれ、以下のとおりである（下線部は、補正箇所を示す。）。 
  
（本件補正前：平成２９年５月２２日付け手続補正） 
  
「【請求項１】 
　遊技球が流下可能な遊技領域を形成する遊技盤と、
　前記遊技盤に配置され、遊技に係る第１演出画像を表示可能な第１表示領域を有する演出表示装置と、
　前記遊技に係る第２演出画像を表示可能な第２表示領域を有し、前記演出表示装置の前記第１表示領域を隠蔽可能な隠蔽位置及び前記隠蔽位置において隠蔽した前記第１表示領域を視認可能とする開放位置に移動可能な可動演出表示装置とを備え、
　前記可動演出表示装置は、前記隠蔽位置で前記第２表示領域に前記第２演出画像を表示可能とし、
　前記演出表示装置は、前記可動演出表示装置が前記開放位置に移動したことによって視認可能となる前記第１表示領域に前記第１演出画像を表示可能とし、
　前記可動演出表示装置が前記開放位置に移動して前記演出表示装置と並列することによって、連続する前記第１表示領域及び前記第２表示領域に亘って第３演出画像を表示可能とすることを特徴とする遊技機。」 
  
 （本件補正後：平成２９年９月５日付け手続補正） 
  
 「【請求項１】 
　遊技球が流下可能な遊技領域を形成する遊技盤と、
　前記遊技盤に配置され、
サブ制御装置の制御により
　前記遊技に係る第２演出画像を表示可能な第２表示領域を有し、前記演出表示装置の前記第１表示領域を隠蔽可能な隠蔽位置及び前記隠蔽位置
で
　前記可動演出表示装置は、前記隠蔽位置で前記第２表示領域に前記第２演出画像を表示可能とし、
　前記演出表示装置は、前記可動演出表示装置が前記開放位置に移動したことによって視認可能となる前記第１表示領域に前記第１演出画像を表示可能とし、
　前記可動演出表示装置が前記開放位置に移動して前記演出表示装置と並列することによって、連続する前記第１表示領域及び前記第２表示領域に亘って第３演出画像を表示可能と
し、
　
前記サブ制御装置は、前記可動演出表示装置が前記隠蔽位置にあるとき、前記演出表示装置の周囲に設けた補助ランプを点灯制御するとともに、前記第１表示領域に前記第１演出画像を非表示状態とし、当該非表示状態から即時前記第１演出画像を前記第１表示領域に表示可能な省電力設定状態に制御する
  
２．補正の適否
（以下では、本件補正後や本件補正前を単にそれぞれ「補正後」や「補正前」ともいう。） 
（１）補正後の請求項１は、補正前の請求項１に記載された発明特定事項である「前記遊技盤に配置」される「演出表示装置」について、「サブ制御装置の制御により」「遊技に係る第１演出画像を表示可能な第１表示領域を有する」と特定することにより、補正前の請求項１に記載の「遊技に係る第１演出画像を表示可能な第１表示領域」を限定するものである。 
  
（２）補正後の請求項１は、「前記遊技に係る第２演出画像を表示可能な第２表示領域を有」する「可動演出表示装置」について、「前記演出表示装置の前記第１表示領域を隠蔽可能な隠蔽位置及び前記隠蔽位置で隠蔽した前記第１表示領域を視認可能とする開放位置に移動可能な」と特定しているところ、これは、補正前の請求項１に記載の「前記隠蔽位置において隠蔽した前記第１表示領域」を「前記隠蔽位置
で
 
（３）補正後の請求項１は、「前記可動演出表示装置が前記開放位置に移動して前記演出表示装置と並列することによって、連続する前記第１表示領域及び前記第２表示領域に亘って第３演出画像を表示可能とし、」と特定しているところ、これは、補正前の請求項１に記載の「・・・第３演出画像を表示可能とする」を「・・・第３演出画像を表示可能と
し、
（４）補正後の請求項１は、「前記サブ制御装置は、前記可動演出表示装置が前記隠蔽位置にあるとき、前記演出表示装置の周囲に設けた補助ランプを点灯制御するとともに、前記第１表示領域に前記第１演出画像を非表示状態とし、当該非表示状態から即時前記第１演出画像を前記第１表示領域に表示可能な省電力設定状態に制御すること」と特定することにより、補正前の請求項１に記載された発明特定事項である「遊技機」の行う制御に係る事項を限定するものである。 
　そして、補正前の請求項１に記載された発明と、補正後の請求項１に記載される発明とは、産業上の利用分野及び解決しようとする課題が同一であるので、本件補正は、特許法第１７条の２第５項第２号に規定する「特許請求の範囲の減縮」を目的とするものに該当する。 
　そして、本件補正は、出願当初の明細書の段落【００７０】、【００８１】〜【００８２】の記載に基づいており、いわゆる新規事項を追加するものではない。 
  
３．独立特許要件 
　そこで、本件補正後の請求項１に記載される発明（以下、「本件補正発明」という。）が特許出願の際独立して特許を受けることができるものであるか否か、すなわち、特許法第１７条の２第６項において準用する同法第１２６条第７項の規定に適合するか否か、について以下検討する。 
  
（１）本件補正発明 
　本件補正発明は、上記「１．本件補正の概要」において示した次に特定されるとおりのものである（Ａ〜Ｇについては、発明特定事項を分説するため当審で付した。）。 
  
「Ａ　遊技球が流下可能な遊技領域を形成する遊技盤と、
　Ｂ　前記遊技盤に配置され、サブ制御装置の制御により遊技に係る第１演出画像を表示可能な第１表示領域を有する演出表示装置と、
　Ｃ　前記遊技に係る第２演出画像を表示可能な第２表示領域を有し、前記演出表示装置の前記第１表示領域を隠蔽可能な隠蔽位置及び前記隠蔽位置で隠蔽した前記第１表示領域を視認可能とする開放位置に移動可能な可動演出表示装置とを備え、
　Ｄ　前記可動演出表示装置は、前記隠蔽位置で前記第２表示領域に前記第２演出画像を表示可能とし、
　Ｅ　前記演出表示装置は、前記可動演出表示装置が前記開放位置に移動したことによって視認可能となる前記第１表示領域に前記第１演出画像を表示可能とし、
　Ｆ　前記可動演出表示装置が前記開放位置に移動して前記演出表示装置と並列することによって、連続する前記第１表示領域及び前記第２表示領域に亘って第３演出画像を表示可能とし、
　Ｇ　前記サブ制御装置は、前記可動演出表示装置が前記隠蔽位置にあるとき、前記演出表示装置の周囲に設けた補助ランプを点灯制御するとともに、前記第１表示領域に前記第１演出画像を非表示状態とし、当該非表示状態から即時前記第１演出画像を前記第１表示領域に表示可能な省電力設定状態に制御することを特徴とする遊技機。」 
（２）刊行物に記載された事項
（２−１）刊行物１に記載された事項 
　原査定の拒絶の理由に引用された本願の出願前に頒布された刊行物である特開２００２―１０２４５１号公報（以下、「刊行物１」という。）には、図面とともに次の事項が記載されている（下線は当審で付した。）。 
  
　ア　「【００１２】
【発明の実施の形態】以下、実施の形態を示す図面に基づいて本発明を詳細に説明する。図１は、本発明に係る遊技機の一実施形態であるパチンコ機の遊技盤を示すものである。
このパチンコ機１の遊技盤２には、ガイドレール３で囲まれる遊技領域４に特別図柄表示装置１０を設けてある
【００１３】
特別図柄表示装置１０は、遊技者に対して数字、記号、絵などの複数の図柄を可変表示するためのもので、横長の主ベース１１に唯一の第１表示手段１２を備えているとともに、この主ベース１１において第１表示手段１２の左右となる位置にそれぞれ可動体１００を備えている
【００１４】
第１表示手段１２は、図２（ｂ）の拡大図に示すように、比較的大型の矩形状を成すドットマトリクス型の液晶表示器であり、
この第１表示手段１２は、後述する制御手段５０の遊技制御用ＣＰＵ５０１から与えられた制御信号に基づいて図柄、背景、キャラクタ等、任意の画像を表示することが可能である。
　イ　「【００１５】一方、
可動体１００は、
それぞれ補助ベース１０１と上下一対のガイドピン１０２とを一体に成形したものである。
【００１６】
補助ベース１０１は、
第２表示手段１１０
を備えている。第２表示手段１１０は、７つの発光セグメント１１０ａを「日」の字状に配置することによって構成したもので
各第２表示手段１１０は、後述する制御手段５０の遊技制御用ＣＰＵ５０１から与えられた制御信号に基づいてこれらの発光セグメント１１０ａを適宜点灯／消灯させ、複数の図柄を切り換え表示することが可能である。
【００１７】一対のガイドピン１０２は、それぞれ補助ベース１０１の後面外側部から後方に向けて互いに平行に突設した円柱状部材である。各ガイドピン１０２は、主ベース１１に設けたスライド溝１３を貫通しており、可動体１００をスライド溝１３の延在方向に沿って左右に案内する作用を成す。図３および図４からも明らかなように、これらガイドピン１０２には、それぞれの突出端部に駆動機構１３０を介してアクチュエータ１４０に連結してある。駆動機構１３０は、アクチュエータ１４０の駆動を可動体１００の左右方向に沿った往復運動に変換するためのものである。本実施形態では、アクチュエータ１４０としてモータ等のロータリアクチュエータ１４０を適用し、さらに駆動機構１３０としてロータリアクチュエータ１４０の回転駆動軸１４１に連結した円板１３１と、一対のガイドピン１０２の突出端部間を連結するカムフォロア１３２と、円板１３１の周縁部から突設し、かつカムフォロア１３２のカム溝１３２ａに係合するカムピン１３３とを備えたものを適用している。
この駆動機構１３０は、ロータリアクチュエータ１４０が互いに同期して逆方向に１回転する間において、可動体１００が最も内方に移動した場合、図２（ａ）に示すように、互いの間にわずかな間隙を確保した状態で第１表示手段１２の表示面を覆い隠した位置（以下、単に隠蔽位置という）に占位する一方、可動体１００が最も外方に移動した場合、図２（ｂ）に示すように、第１表示手段１２の表示面がすべて開放される位置（以下、単に開放位置という）に占位するように構成してある
　ウ　「【００２６】図５は、上述した
パチンコ機１の制御手段５０
この制御手段５０は、それぞれ個別のＣＰＵ５０１，５１１を備えた遊技制御装置５００および本体制御装置５１０を具備する
【００２７】
遊技制御装置５００の遊技制御用ＣＰＵ５０１は、主に遊技盤側の制御を行う部分である
この遊技制御用ＣＰＵ５０１は
特別図柄表示装置１０の第１表示手段１２、第２表示手段１１０、ロータリアクチュエータ１４０等の駆動制御を行うためのものである
　エ　「【００２９】以下、上記のように構成したパチンコ機１のパチンコ遊技について説明する。なお、以下の説明においては、初期状態において変動入賞装置２０が第一入賞状態にあるものとする。また、
特別図柄表示装置１０においては、ロータリアクチュエータ１４０が適宜回転した状態で停止し、図２（ａ）に示すように、一対の可動体１００が第１表示手段１２の表示面を覆い隠した隠蔽位置に占位されているものとする
【００３０】
このパチンコ機１では
遊技球が、ガイドレール３によって遊技盤２の遊技領域４上方に案内され、
遊技領域４内を順次流下することになる
　オ　「【００３４】乱数発生手段５０４から乱数が抽出されると、遊技制御用ＣＰＵ５０１から当該抽出した乱数に応じた制御信号が特別図柄表示装置１０の第１表示手段１２、第２表示手段１１０およびロータリアクチュエータ１４０に対して出力され、当該特別図柄表示装置１０において所望の表示制御が実施される。
この特別図柄表示装置１０で実施される表示制御は、第１表示手段１２および第２表示手段１１０のそれぞれにおいて図柄を所定の可変時間だけ可変表示させた後、例えば向かって左側の第２表示手段１１０、向かって右側の第２表示手段１１０、第１表示手段１２の順で、これらの表示手段１１０，１２に図柄をひとつずつ停止表示させるまでの制御処理である。
【００３５】
（省略）
【００３６】一方、抽出した乱数が
リーチ状態を創出するものであった場合には、まず、第１表示手段１２の可変表示が継続している状態においてそれぞれの第２表示手段１１０に互いに一致する図柄が停止表示されるようになり、遊技者に対してリーチ状態であることが報知される。その後、直ちにロータリアクチュエータ１４０が適宜駆動し、図２（ｂ）に示すように、一対の可動体１００が第１表示手段１２の表示面を開放した開放位置に変位してそのまま停止するようになる
【００３７】
この状態においては、それ以前まで一対の可動体１００によって覆い隠されていた第１表示手段１２の表示面が突然に大きく開放されるため、そのこと自体が遊技者に対して大きなインパクトを与えることになる
特別図柄表示装置１０としての図柄の表示視認領域が物理的に大きく拡大することになるため、当該第１表示手段１２での表示態様を多彩なものとすることができ、より華やかで変化に富んだリーチ演出を表示することが可能になる
【００３８】さ
らに、抽出した乱数が大当たりに対応したものであった場合には、上述したリーチ演出の表示終了後、第１表示手段１２に第２表示手段１１０の図柄と同一の図柄が停止表示され、その後特別遊技に移行する
【００３９】
この特別遊技の間においても上記パチンコ機１によれば、大きく開放した第１表示手段１２と一対の第２表示手段１１０とを利用し、従前のものには期待することのできない多彩な演出表示を行うことで特別遊技を一層盛り上げることが可能となり、遊技者の興趣を著しく高めることができるようになるとともに、遊技者に与える印象もきわめて強烈なものとなる
」
　カ　「【００４２】このように、上記
パチンコ機１では、第１表示手段１２および第２表示手段１１０を具備し、かつ第１表示手段１２の表示視認領域が増減する態様で第２表示手段１１０を左右方向に移動させることにより、図柄の表示視認領域を物理的に変化させるようにした特別図柄表示装置１０を適用している
第１表示手段１２が開放された場合には、その時点で遊技者に大きなインパクトを与えることができる。さらに、図柄の表示視認領域が物理的に拡大した後においては、その後のリーチ演出や特別遊技の演出においても迫力のある画面を通じてより華やかで変化に富んだ表示を行うことが可能であり、遊技者に与える印象も強烈なものとなる
　キ　「【００４４】また、上述した実施の形態では、唯一の第１表示手段と一対の第２表示手段とを備えた表示装置を例示しているが、これら第１表示手段および第２表示手段の数は少なくとも一つずつあればいくつであっても構わない。なお、
第１表示手段として液晶表示器を例示している
第２表示手段としても、発光セグメントによるものである必要はなく、ドットマトリクス型の液晶表示器等、その他のものを適用してもよい。
【００４５】さらに、上述した実施の形態では、リーチ状態となった場合に第１表示手段の表示視認領域を変化させるようにしているが、第１表示手段の表示視認領域を変化させる条件は、その他のものであってもよい。例えば、第１表示手段および第２表示手段がいずれも可変表示を実施している間に第１表示手段の表示視認領域を増大させ、その後、通常時よりも高い確率でリーチ状態を創出するようにすれば、遊技者に対してリーチ予告を報知することが可能となる。また、第２表示手段の可変表示が停止した場合、常に第１表示手段の表示視認領域を増大させるようにしても構わない。
なお、第１表示手段の表示視認領域を最も減少させた場合においてもわずかにその表示視認領域を残すようにしているが、完全に覆い隠すようにすることも可能である。
　上記ア〜キの記載事項から、以下の事項が導かれる。 
  
（２−１−ａ）上記ア【００１２】には、「パチンコ機１」が記載されている。　
　また、上記エ【００３０】には、「パチンコ機１」では、「遊技球が、ガイドレール３によって遊技盤２の遊技領域４上方に案内され」、「遊技領域４内を順次流下する」ことが記載されており、「遊技盤２」は「遊技球」が「順次流下する」「遊技領域４」を有している。
　そうすると、刊行物１には、「パチンコ機１」及び「遊技球が順次流下する遊技領域４を有している遊技盤２」が記載されているといえる。
（２−１−ｂ）上記ア【００１２】には、「パチンコ機１の遊技盤２には、・・・特別図柄表示装置１０を設けてある」ことが記載されており、【００１３】には、「特別図柄表示装置１０」は、「第１表示手段１２を備えている」ことが記載されていることから、「第１表示手段１２」は「遊技盤２」に設けられているといえる。
　また、【００１４】には、「第１表示手段１２は、・・・比較的大型の矩形状を成すドットマトリクス型の液晶表示器であり、・・・制御手段５０の遊技制御用ＣＰＵ５０１から与えられた制御信号に基づいて図柄、背景、キャラクタ等、任意の画像を表示することが可能」であると記載されている。
　そうすると、刊行物１には、「遊技盤２に設けられ、遊技制御用ＣＰＵ５０１から与えられた制御信号に基づいて、図柄、背景、キャラクタ等、任意の画像を表示することが可能な、比較的大型の矩形状を成すドットマトリクス型の液晶表示器である第１表示手段１２」が記載されているといえる。
（２−１−ｃ）上記ア【００１３】には、「特別図柄表示装置１０」は、「第１表示手段１２の左右となる位置にそれぞれ可動体１００を備えている」ことが記載されており、上記イ【００１５】には、「可動体１００は、・・・それぞれ補助ベース１０１と上下一対のガイドピン１０２とを一体に成形したものである」ことが記載されており、【００１６】には、「補助ベース１０１は、第１表示手段１２の表示面に対してその約半分となる大きさを有したプレート状部材であり、個々の前面に第２表示手段１１０・・・を備えて」いると記載されているから、「第１表示手段１２の左右となる位置にそれぞれ備えられた可動体１００が、第２表示手段１１０を備えること」が記載されているといえる。
　また、上記イ【００１６】には、「第２表示手段１１０は、７つの発光セグメント１１０ａを「日」の字状に配置することによって構成したもので」であり、「各第２表示手段１１０は、・・・制御手段５０の遊技制御用ＣＰＵ５０１から与えられた制御信号に基づいてこれらの発光セグメント１１０ａを適宜点灯／消灯させ、複数の図柄を切り換え表示することが可能である」ことが記載されている。
　そうすると、刊行物１には、「７つの発光セグメント１１０ａを「日」の字状に配置させ、これらの発光セグメント１１０ａを適宜点灯／消灯させることによって、複数の図柄を切り換え表示することが可能な第２表示手段１１０を、第１表示手段１２の左右となる位置にそれぞれ備える可動体１００」が記載されているといえる。
（２−１−ｄ）上記イ【００１７】には、「可動体１００が最も内方に移動した場合、・・・第１表示手段１２の表示面を覆い隠した位置（以下、単に隠蔽位置という）に占位する一方、可動体１００が最も外方に移動した場合、・・・第１表示手段１２の表示面がすべて開放される位置（以下、単に開放位置という）に占位するように構成してある」ことが記載されている。
　上記キ【００４５】には、「第１表示手段の表示視認領域を・・・完全に覆い隠すようにすることも可能である」ことが記載されている。
　そうすると、刊行物１には、「最も内方に移動した場合、第１表示手段１２の表示面を完全に覆い隠した位置（隠蔽位置）に占位する一方、最も外方に移動した場合、第１表示手段１２の表示面がすべて開放される位置（開放位置）に占位するように構成した可動体１００」が記載されているといえる。
（２−１−ｅ）上記エ【００２９】には、「一対の可動体１００が第１表示手段１２の表示面を覆い隠した隠蔽位置に占位されている」場合が記載されており、上記オ【００３４】には、その場合に、「第１表示手段１２および第２表示手段１１０のそれぞれにおいて図柄を所定の可変時間だけ可変表示させた後、例えば向かって左側の第２表示手段１１０、向かって右側の第２表示手段１１０、第１表示手段１２の順で、これらの表示手段１１０，１２に図柄をひとつずつ停止表示させるまでの制御処理」が「特別図柄表示装置１０で実施される」ことが記載されている。
　そうすると、刊行物１には、「一対の可動体１００が第１表示手段１２の表示面を覆い隠した隠蔽位置に占位されている場合には、第１表示手段１２および第２表示手段１１０のそれぞれにおいて図柄を所定の可変時間だけ可変表示させること」が記載されているといえる。
（２−１−ｆ）上記オ【００３６】には、「リーチ状態」の場合には、「まず、第１表示手段１２の可変表示が継続している状態においてそれぞれの第２表示手段１１０に互いに一致する図柄が停止表示されるように」なり、「その後、直ちにロータリアクチュエータ１４０が適宜駆動し、・・・一対の可動体１００が第１表示手段１２の表示面を開放した開放位置に変位してそのまま停止するようになる」ことが記載されている。
　また、【００３７】には、「この状態においては、それ以前まで一対の可動体１００によって覆い隠されていた第１表示手段１２の表示面が突然に大きく開放され」ることが記載されている。
　そうすると、刊行物１には、「リーチ状態の場合には、第１表示手段１２の可変表示が継続している状態において、それぞれの第２表示手段１１０に互いに一致する図柄が停止表示されるようになり、その後、一対の可動体１００が第１表示手段１２の表示面を開放した開放位置に変位してそのまま停止し、それ以前まで一対の可動体１００によって覆い隠されていた第１表示手段１２の表示面が大きく開放されること」が記載されているといえる。
（２−１−ｇ）上記オ【００３８】には、「抽出した乱数が大当たりに対応したものであった場合」には、「リーチ演出の表示終了後、第１表示手段１２に第２表示手段１１０の図柄と同一の図柄が停止表示され、その後特別遊技に移行する」ことが記載されている。
　また、【００３９】には、「特別遊技の間においても上記パチンコ機１によれば、大きく開放した第１表示手段１２と一対の第２表示手段１１０とを利用し、従前のものには期待することのできない多彩な演出表示を行うことで特別遊技を一層盛り上げることが可能とな」ることが記載されている。
　また、上記カ【００４２】には、「上記パチンコ機１では、第１表示手段１２および第２表示手段１１０を具備し、かつ第１表示手段１２の表示視認領域が増減する態様で第２表示手段１１０を左右方向に移動させることにより、図柄の表示視認領域を物理的に変化させるようにした特別図柄表示装置１０を適用して」おり、「第１表示手段１２が開放された場合には、その時点で遊技者に大きなインパクトを与えることができ」、「図柄の表示視認領域が物理的に拡大した後においては、その後のリーチ演出や特別遊技の演出においても迫力のある画面を通じてより華やかで変化に富んだ表示を行うことが可能であ」ることが記載されている。
　そうすると、刊行物１には、「抽出した乱数が大当たりに対応したものであった場合には、リーチ演出の表示終了後、第１表示手段１２に第２表示手段１１０の図柄と同一の図柄が停止表示され、その後移行した特別遊技の間においても、大きく開放した第１表示手段１２と一対の第２表示手段１１０とを利用して、多彩な演出表示を行い、迫力のある画面を通じてより華やかで変化に富んだ表示を行うことが可能であること」が記載されているといえる。
  
　上記（２−１−ａ）〜（２−１−ｇ）の認定事項を総合すれば、刊行物１には、以下の発明（以下、「引用発明」という。）が記載されていると認められる（ａ〜ｆは発明の構成を分説するため当審で付した。）。 
  
「ａ　遊技球が順次流下する遊技領域４を有している遊技盤２と、
  
　ｂ　遊技盤２に設けられ、遊技制御用ＣＰＵ５０１から与えられた制御信号に基づいて、図柄、背景、キャラクタ等、任意の画像を表示することが可能な、比較的大型の矩形状を成すドットマトリクス型の液晶表示器である第１表示手段１２と、
  
　ｃ　７つの発光セグメント１１０ａを「日」の字状に配置させ、これらの発光セグメント１１０ａを適宜点灯／消灯させることによって、複数の図柄を切り換え表示することが可能な第２表示手段１１０を、第１表示手段１２の左右となる位置にそれぞれ備え、最も内方に移動した場合、第１表示手段１２の表示面を完全に覆い隠した位置（隠蔽位置）に占位する一方、最も外方に移動した場合、第１表示手段１２の表示面がすべて開放される位置（開放位置）に占位するように構成した可動体１００とを備え、
　ｄ　一対の可動体１００が第１表示手段１２の表示面を完全に覆い隠した隠蔽位置に占位されている場合には、第１表示手段１２および第２表示手段１１０のそれぞれにおいて図柄を所定の可変時間だけ可変表示させ、
  
　ｅ　リーチ状態の場合には、第１表示手段１２の可変表示が継続している状態において、それぞれの第２表示手段１１０に互いに一致する図柄が停止表示されるようになり、その後、一対の可動体１００が第１表示手段１２の表示面を開放した開放位置に変位してそのまま停止し、それ以前まで一対の可動体１００によって覆い隠されていた第１表示手段１２の表示面が大きく開放されるようになり、
　ｆ　抽出した乱数が大当たりに対応したものであった場合には、リーチ演出の表示終了後、第１表示手段１２に第２表示手段１１０の図柄と同一の図柄が停止表示され、その後移行した特別遊技の間においても、大きく開放した第１表示手段１２と一対の第２表示手段１１０とを利用して、多彩な演出表示を行い、迫力のある画面を通じてより華やかで変化に富んだ表示を行うことが可能であるパチンコ機１。」　 
  
（２−２）刊行物２に記載された事項 
　原査定の拒絶の理由に引用された本願の出願前に頒布された刊行物である特開２００７―２９６００４号公報（以下、「刊行物２」という。）には、図面とともに次の事項が記載されている（下線は当審で付した。）。 
  
　ク　「【００４４】
 （途中省略）
 （演出制御装置220）
　次に、演出制御装置220について詳述する。
【００４５】
　
演出制御装置220は
演出表示部66及びシャッター装置20の作動を制御する
演出制御装置220は、
次の（１）乃至（４）の手段を有している。
　（１）遊技作動判定手段150
　（２）
液晶表示制御手段160
　（３）
シャッター制御手段170
　（４）
デモ表示制御手段180
　なお、演出制御装置220としては、上記した（１）乃至（４）の手段に限定されるものではなく、他の手段を含んでいてもよい。ここで、本実施の形態では、液晶表示装置67を用いた演出及びシャッター装置20の制御について説明するが、
演出制御装置220が、それ以外の演出、例えばランプ68の点灯・点滅
を制御可能であること
　ケ　「【００４７】
　（途中省略）
　（液晶表示制御手段160）
　
液晶表示制御手段160は、液晶表示装置67に所定の演出表示を行わせるためのもの
【００４８】
　具体的には、
液晶表示制御手段160は
液晶表示装置67に所定の画像（動画を含む）を表示させる
　また、液晶画面の表示中に、前記遊技作動判定手段150から非作動判定信号を受信した場合には、液晶表示装置67をＯＦＦにして表示画面の演出表示を中止し、液晶表示装置67がＯＦＦのときに前記作動判定信号を受信した場合には、液晶表示装置67をＯＮにして、表示画面の演出表示を再開させる。
　なお、再開される演出表示については、中止時に行われていた演出の続きから行われるようにしてもよいし、中止時に行われていた演出を最初から始めるようにしてもよい。
【００４９】
（シャッター制御手段170）
　
シャッター制御手段170は
シャッター装置20の作動を制御するためのもの
　具体的には、移動板22が開いた状態（図３(Ａ)参照）で非作動判定信号を受信した場合には、シャッター駆動部21の駆動モータ23を移動板22が閉じる方向に駆動させて、
液晶表示装置67の表示画面が移動板22で覆い隠されるようにし
液晶表示装置67の表示画面を正面側から視認できる位置まで移動板22を退避させる
【００５０】
（デモ表示制御手段180）
　
デモ表示制御手段180は
デモ表示装置27の表示を制御するためのもの
　具体的には、デモ表示装置27でのデモ表示を行っていないときに非作動判定信号を受信した場合には、
デモ表示装置27をＯＮにしてＬＥＤ素子28を所定のパターンで点滅させて予め設定されたデモ表示を行い
デモ表示装置27をＯＦＦにしてデモ表示を終了させる
　コ　「【００５５】
　前記ステップ２０１において、精算スイッチ17がＯＮとなった場合には、ステップ２０２を飛び越してステップ２０３に進む。
　
ステップ２０３において、シャッター装置20の移動板22を閉じて液晶表示装置67の表示画面を覆うとともに、デモ表示装置27をＯＮにしてＬＥＤ素子28の点滅によるデモ表示を開始させる（図３(Ｂ)参照）。
【００５６】
　
ステップ２０４において、液晶表示装置67をＯＦＦにする。
　ステップ２０５において、メダルが投入されたかどうかが判断される。具体的には、投入スイッチ15がＯＮとなったか、ベットスイッチ16がＯＮとなったかを判断する。メダル投入がされていない場合には、ステップ２０５に戻る。一方、メダル投入がなされた場合には、次のステップ２０６に進む。
　
ステップ２０６において、デモ表示装置27をＯＦＦにしてデモ表示を終了させるとともに、シャッター装置20の移動板22を開いて液晶表示装置67の表示画面が見えるようにする
　サ　「【００６４】
　なお、以上述べた実施の形態では、移動板22は、閉じた状態のときに液晶表示画面の全面を覆うように形成されているが、液晶表示画面がＯＦＦであっても演出表示窓19から所定のデモ表示が視認できるようになっていれば、必ずしも移動板22が液晶表示画面の全面を覆っていなくてもよい。例えば、液晶表示画面の中央部を移動板22が覆うような形態としてもよい。
　また、液晶表示装置67の電力の遮断について、上記実施の形態では、移動板22が遮蔽位置にある場合には、液晶表示装置67を完全な電力供給停止状態とするものであったが、本発明においては、
液晶表示装置67本体には電力が供給されるが液晶表示画面に動画等が表示されるのに必要な電力の供給を遮断することも、「電力の遮断」に含まれる。すなわち、移動板22の遮蔽時には、液晶表示装置67に対して、液晶表示画面の表示の復帰が迅速に行われる程度の微弱な電力を供給し、電力供給制限状態（円滑復帰モードあるいは節電モード）にするようにしてもよい
　シ　「【００６５】
　そして、本発明が、スロットマシン以外の遊技機にも応用できることは言うまでもない。例えば、特に図示しないが、
図柄表示手段として液晶表示装置を備え、この液晶表示装置の表示画面を視認可能な図柄表示窓を有する遊技機（例えばパチンコ遊技機）
　上記ク〜シの記載事項から、以下の事項が導かれる。 
  
（２−２−ａ）上記ク【００４５】には、「演出制御装置220」は、「液晶表示制御手段160」、「シャッター制御手段170」、「デモ表示制御手段180」等を有しており、「演出表示部66」、「シャッター装置20」の「作動」を制御したり、「ランプ68」の「点灯・点滅」を制御することが記載されている。
　また、上記シ【００６５】には、「図柄表示手段として液晶表示装置を備え、この液晶表示装置の表示画面を視認可能な図柄表示窓を有する遊技機（例えばパチンコ遊技機）」が記載されている。
　そうすると、刊行物２には、「図柄表示手段として液晶表示装置を備え、この液晶表示装置の表示画面を視認可能な図柄表示窓を有するパチンコ遊技機において、演出制御装置220は、液晶表示制御手段160、シャッター制御手段170、デモ表示制御手段180等を有しており、演出表示部66、シャッター装置20の作動を制御したり、ランプ68の点灯・点滅を制御すること」が記載されているといえる。
（２−２−ｂ）上記ケ【００４８】には、「液晶表示制御手段160は、液晶表示装置67に所定の演出表示を行わせるためのもの」であり、「液晶表示装置67に所定の画像（動画を含む）を表示させる」ことが記載されている。
　【００４９】には、「シャッター制御手段170」は、「シャッター装置20の作動を制御するためのもので」あり、「液晶表示装置67の表示画面が移動板22で覆い隠されるようにし」たり、「液晶表示装置67の表示画面を正面側から視認できる位置まで移動板22を退避させ」たりすることが記載されている。
　【００５０】には、「デモ表示制御手段180」は、「デモ表示装置27の表示を制御するためのもの」であり、「デモ表示装置27をＯＮにしてＬＥＤ素子28を所定のパターンで点滅させて予め設定されたデモ表示を行い」、「デモ表示装置27をＯＦＦにしてデモ表示を終了させる」ことが記載されている。
　そうすると、刊行物２には、「液晶表示制御手段160は、液晶表示装置67に所定の演出表示を行わせるためのものであり、液晶表示装置67に所定の画像（動画を含む）を表示させ、シャッター制御手段170は、シャッター装置20の作動を制御するためのものであり、液晶表示装置67の表示画面が移動板22で覆い隠されるようにしたり、液晶表示装置67の表示画面を正面側から視認できる位置まで移動板22を退避させたりし、デモ表示制御手段180は、デモ表示装置27の表示を制御するためのものであり、デモ表示装置27をＯＮにしてＬＥＤ素子28を所定のパターンで点滅させて予め設定されたデモ表示を行い、デモ表示装置27をＯＦＦにしてデモ表示を終了させること」が記載されているといえる。
（２−２−ｃ）上記コ【００５５】及び【００５６】には、「シャッター装置20の移動板22を閉じて液晶表示装置67の表示画面を覆うとともに、デモ表示装置27をＯＮにしてＬＥＤ素子28の点滅によるデモ表示を開始させる」場合には、「液晶表示装置67をＯＦＦにする」ことが記載されている。
　また、【００５６】には、「デモ表示装置27をＯＦＦにしてデモ表示を終了させる」場合には、「シャッター装置20の移動板22を開いて液晶表示装置67の表示画面が見えるようにする」ことが記載されている。
　そうすると、刊行物２には、「シャッター装置20の移動板22を閉じて液晶表示装置67の表示画面を覆うとともに、デモ表示装置27をＯＮにしてＬＥＤ素子28の点滅によるデモ表示を開始させる場合には、液晶表示装置67をＯＦＦにし、デモ表示装置27をＯＦＦにしてデモ表示を終了させる場合には、シャッター装置20の移動板22を開いて液晶表示装置67の表示画面が見えるようにすること」が記載されているといえる。
（２−２−ｄ）上記サ【００６４】には、「液晶表示装置67本体には電力が供給されるが液晶表示画面に動画等が表示されるのに必要な電力の供給を遮断することも、「電力の遮断」に含まれ」、「移動板22の遮蔽時には、液晶表示装置67に対して、液晶表示画面の表示の復帰が迅速に行われる程度の微弱な電力を供給し、電力供給制限状態（円滑復帰モードあるいは節電モード）にする」ことが記載されている。
　そうすると、刊行物２には、「移動板22の遮蔽時に、液晶表示装置67に対して、液晶表示画面に動画等が表示されるのに必要な電力の供給を遮断して、液晶表示画面の表示の復帰が迅速に行われる程度の微弱な電力を供給し、電力供給制限状態（円滑復帰モードあるいは節電モード）にすること」が記載されているといえる。
　上記（２−２−ａ）〜（２−２−ｄ）の認定事項を総合すれば、刊行物２には、以下の事項（以下、「刊行物２記載事項」という。）が記載されていると認められる。 
  
「図柄表示手段として液晶表示装置を備え、この液晶表示装置の表示画面を視認可能な図柄表示窓を有するパチンコ遊技機において、
　演出制御装置220は、液晶表示制御手段160、シャッター制御手段170、デモ表示制御手段180等を有し、演出表示部66、シャッター装置20の作動を制御したり、ランプ68の点灯・点滅を制御し、
　液晶表示制御手段160は、液晶表示装置67に所定の演出表示を行わせるためのものであり、液晶表示装置67に所定の画像（動画を含む）を表示させ、
　シャッター制御手段170は、シャッター装置20の作動を制御するためのものであり、液晶表示装置67の表示画面が移動板22で覆い隠されるようにしたり、液晶表示装置67の表示画面を正面側から視認できる位置まで移動板22を退避させたりし、
　デモ表示制御手段180は、デモ表示装置27の表示を制御するためのものであり、デモ表示装置27をＯＮにしてＬＥＤ素子28を所定のパターンで点滅させて予め設定されたデモ表示を行い、デモ表示装置27をＯＦＦにしてデモ表示を終了させ、
　シャッター装置20の移動板22を閉じて液晶表示装置67の表示画面を覆うとともに、デモ表示装置27をＯＮにしてＬＥＤ素子28の点滅によるデモ表示を開始させる場合には、液晶表示装置67をＯＦＦにし、
　デモ表示装置27をＯＦＦにしてデモ表示を終了させる場合には、シャッター装置20の移動板22を開いて液晶表示装置67の表示画面が見えるようにし、
　移動板22の遮蔽時に、液晶表示装置67に対して、液晶表示画面に動画等が表示されるのに必要な電力の供給を遮断して、液晶表示画面の表示の復帰が迅速に行われる程度の微弱な電力を供給し、電力供給制限状態（円滑復帰モードあるいは節電モード）にすること。」　 
（３）対比 
　本件補正発明と引用発明とを対比する。
　なお、見出しは（ａ）〜（ｇ）とし、本件補正発明、引用発明の分説に対応させている。 
  
（ａ）引用発明の「遊技球」、「順次流下」、「遊技領域４」及び「遊技盤２」は、それぞれ本件補正発明の「遊技球」、「流下可能」、「遊技領域」及び「遊技盤」に相当する。
　したがって、引用発明の「ａ　遊技球が順次流下する遊技領域４を有している遊技盤２」は、本件補正発明の「Ａ　遊技球が流下可能な遊技領域を形成する遊技盤」に相当する。
（ｂ）引用発明の「遊技制御用ＣＰＵ５０１」は、本件補正発明の「サブ制御装置」に相当する。
　また、引用発明の「図柄、背景、キャラクタ等、任意の画像」は、本件補正発明の「遊技に係る第１演出画像」に相当する。
　さらに、引用発明の「遊技盤２に設けられ」た「第１表示手段１２」は、本件補正発明の「前記遊技盤に配置され」た「演出表示装置」に相当する。
　ここで、引用発明では、「遊技制御用ＣＰＵ５０１から与えられた制御信号に基づいて、図柄、背景、キャラクタ等、任意の画像を表示することが可能」としているところ、これは、本件補正発明の「サブ制御装置の制御により遊技に係る第１演出画像を表示可能」とすることに相当する。
　そして、引用発明の「第１表示手段１２」は、「比較的大型の矩形状を成すドットマトリクス型の液晶表示器である」ことから、所定の表示領域を有していることは明らかであり、この「所定の表示領域」は、本件補正発明の「第１の表示領域」に相当する。 
　よって、引用発明の「ｂ　遊技盤２に設けられ、遊技制御用ＣＰＵ５０１から与えられた制御信号に基づいて、図柄、背景、キャラクタ等、任意の画像を表示することが可能な、比較的大型の矩形状を成すドットマトリクス型の液晶表示器である第１表示手段１２」は、本件補正発明の「Ｂ　前記遊技盤に配置され、サブ制御装置の制御により遊技に係る第１演出画像を表示可能な第１表示領域を有する演出表示装置」に相当する。 
  
（ｃ）引用発明の「第２表示手段１１０」は、「可動体１００」に備えられており、「可動体１００」の移動に伴って移動可能であるといえるから、引用発明の「第２表示手段１１０を、第１表示手段１２の左右となる位置にそれぞれ備え」た「可動体１００」は、本件補正発明の「可動演出表示装置」に相当する。 
　また、引用発明の「第２表示手段１１０」は、「７つの発光セグメント１１０ａを「日」の字状に配置させ、これらの発光セグメント１１０ａを適宜点灯／消灯させることによって、複数の図柄を切り換え表示することが可能」であるところ、この「日」の字状に配置された７つの発光セグメントで構成される表示領域は、本件補正発明の「第２表示領域」に相当する。
　また、引用発明の「複数の図柄を切り換え表示すること」は、遊技に係る演出を表示することを意味するから、本件補正発明と引用発明とは、「前記遊技に係る第２演出を表示可能な第２表示領域を有する」点で共通する。
　引用発明では、「可動体１００」が「最も内方に移動した場合、第１表示手段１２の表示面を完全に覆い隠した位置（隠蔽位置）に占位」しており、この「第１表示手段１２の表示面」及び「第１表示手段１２の表示面を完全に覆い隠した位置（隠蔽位置）」は、本件補正発明の「前記演出表示装置の前記第１表示領域」及び「前記演出表示装置の前記第１表示領域を隠蔽可能な隠蔽位置」にそれぞれ相当する。
　同様に、引用発明では、「可動体１００」が「最も外方に移動した場合、第１表示手段１２の表示面がすべて開放される位置（開放位置）に占位」しており、この「第１表示手段１２の表示面がすべて開放される位置（開放位置）」は、本件補正発明の「前記隠蔽位置で隠蔽した前記第１表示領域を視認可能とする開放位置」に相当する。
　そして、引用発明の「可動体１００」は、「最も内方に移動」したり、「最も外方に移動」したりすることができるから、「隠蔽位置」及び「開放位置」に「移動可能」な「可動演出表示装置」であると認められる。
　よって、本件補正発明の構成Ｃと引用発明の構成ｃとは、「前記遊技に係る第２演出を表示可能な第２表示領域を有し、前記演出表示装置の前記第１表示領域を隠蔽可能な隠蔽位置及び前記隠蔽位置で隠蔽した前記第１表示領域を視認可能とする開放位置に移動可能な可動演出表示装置とを備え」る点で共通する。 
（ｄ）引用発明では、「一対の可動体１００が第１表示手段１２の表示面を完全に覆い隠した隠蔽位置に占位されている場合」に、「第２表示手段１１０」において「図柄を所定の可変時間だけ可変表示させ」ている。
　ここで、本件補正発明の「第２演出画像」と、引用発明の「第２表示手段１１０」において「可変表示」される「図柄」とは、「隠蔽位置で前記第２表示領域」に表示される「第２演出」である点で共通する。
　よって、本件補正発明の構成Ｄと引用発明の構成ｄとは、「前記可動演出表示装置は、前記隠蔽位置で前記第２表示領域に前記第２演出を表示可能とし」ている点で共通する。 
（ｅ）引用発明では、「リーチ状態の場合」に、「第１表示手段１２の可変表示が継続している状態において」、「一対の可動体１００」が「第１表示手段１２の表示面を開放した開放位置に変位してそのまま停止し」、「第１表示手段１２の表示視認領域が数倍に達するように」なることから、「第１表示手段１２」は、「可動体１００」が「開放位置」に「変位」したことによって「開放」される「表示面」である「表示視認領域」において、「可変表示」を行っており、この「可動体１００が開放位置に変位したことによって開放される表示面である表示視認領域」は、本件補正発明の「前記可動演出表示装置が前記開放位置に移動したことによって視認可能となる前記第１表示領域」に相当する。。
　また、引用発明の「第１表示手段１２」において表示される「可変表示」は、上記（ｂ）から、本件補正発明の「第１演出画像」に相当する。
　よって、引用発明の「 ｅ　リーチ状態の場合には、第１表示手段１２の可変表示が継続している状態において、それぞれの第２表示手段１１０に互いに一致する図柄が停止表示されるようになり、その後、一対の可動体１００が第１表示手段１２の表示面を開放した開放位置に変位してそのまま停止し、それ以前まで一対の可動体１００によって覆い隠されていた第１表示手段１２の表示面が大きく開放され」ることは、本件補正発明の「Ｅ　前記演出表示装置は、前記可動演出表示装置が前記開放位置に移動したことによって視認可能となる前記第１表示領域に前記第１演出画像を表示可能とし」ていることに相当する。
  
（ｆ）引用発明の「パチンコ機１」は、本件補正発明の「遊技機」に相当する。 
　また、引用発明では、「抽出した乱数が大当たりに対応したものであった場合」の「特別遊技の間」において、「大きく開放した第１表示手段１２と一対の第２表示手段１１０とを利用して、多彩な演出表示を行い、迫力のある画面を通じてより華やかで変化に富んだ表示を行うことが可能」であり、このとき、「第２表示手段１１０」を備える「可動体１００」は、「第１表示手段１２」を「大きく開放」する位置に移動して、「第１表示手段１２」と並列配置されている。
　また、引用発明における「多彩な演出表示を行う」ことは、本件補正発明と「第３演出を表示」することで共通する。
　よって、本件補正発明の構成Ｆと引用発明の構成ｆとは、「前記可動演出表示装置が前記開放位置に移動して前記演出表示装置と並列することによって、第３演出を表示可能とし」ている点で共通する。
　上記（ａ）〜（ｆ）の対比により、本件補正発明と引用発明とは、 
  
「Ａ　遊技球が流下可能な遊技領域を形成する遊技盤と、
　Ｂ　前記遊技盤に配置され、サブ制御装置の制御により遊技に係る第１演出画像を表示可能な第１表示領域を有する演出表示装置と、
　Ｃ’前記遊技に係る第２演出を表示可能な第２表示領域を有し、前記演出表示装置の前記第１表示領域を隠蔽可能な隠蔽位置及び前記隠蔽位置で隠蔽した前記第１表示領域を視認可能とする開放位置に移動可能な可動演出表示装置とを備え、
　Ｄ’前記可動演出表示装置は、前記隠蔽位置で前記第２表示領域に前記第２演出を表示可能とし、
　Ｅ　前記演出表示装置は、前記可動演出表示装置が前記開放位置に移動したことによって視認可能となる前記第１表示領域に前記第１演出画像を表示可能とし、
　Ｆ’前記可動演出表示装置が前記開放位置に移動して前記演出表示装置と並列することによって、第３演出を表示可能とする遊技機。」 
  
である点で一致し、以下の点で相違する。 
  
［相違点１］ 
　「可動演出表示装置」が表示可能な「第２演出」、及び、「可動演出表示装置」が「演出表示装置と並列することによって」表示可能な「第３演出」について、本件補正発明では、両演出がいずれも「画像」であり、「第３演出」については、「連続する前記第１表示領域及び前記第２表示領域に亘って」表示されるものであるのに対し、引用発明では、そのような特定がされていない点（構成Ｃ、Ｄ、Ｆ）。
［相違点２］ 
　本件補正発明では、「前記サブ制御装置は、前記可動演出表示装置が前記隠蔽位置にあるとき、前記演出表示装置の周囲に設けた補助ランプを点灯制御するとともに、前記第１表示領域に前記第１演出画像を非表示状態とし、当該非表示状態から即時前記第１演出画像を前記第１表示領域に表示可能な省電力設定状態に制御する」という構成を有するのに対し、引用発明では、そのような構成を備えていない点（構成Ｇ）。 
（４）判断 
　上記相違点について検討する。 
  
ア　相違点１について 
　遊技機の技術分野において、第１演出画像を第１表示領域に表示可能な演出表示装置と、その左右に配置され第２演出を第２表示領域に表示可能な一対の可動演出表示装置とを備える遊技機において、当該第２演出を「画像」として表示し、当該一対の可動演出表示装置が移動して、当該演出表示装置の表示面を開放する位置にあるとき、当該一対の可動演出表示装置が当該演出表示装置と「並列することによって」、第１表示領域と第２表示領域を「連続」したものとし、当該連続した表示領域に「亘って」「演出画像」を表示することは、周知の技術（以下、「周知の技術事項１」という。）である。
（必要ならば、例えば、特開２００６−３０４８４８号公報の【００７５】〜【００７６】、【図１４】、【図１５】、特開２００７−３０７２５２号公報の【０３３９】〜【０３６７】、【図３３】〜【図３７】、特開２０１２−４５３０３号公報の【０３６４】〜【０３７５】、【０４３７】〜【０４４３】、【図２９】、【図３７】等の記載を参照。）
　そして、引用発明の「第２表示手段１１０」 について、上記（２−１）の記載事項 （キ）において「第２表示手段としても、発光セグメントによるものである必要はなく、ドットマトリクス型の液晶表示器等、その他のものを適用してもよい。」と示唆されており、かかる示唆に従って、「第２表示手段１１０」を、ドットマトリクス型の液晶表示器とした際、上記周知の技術事項１を適用して、「第１表示手段１２」に加え、「第２表示手段１１０」にも演出画像を表示し、上記相違点１に係る本件補正発明の構成を得るようにしたことに当業者ならば格別の困難性はない。
イ　相違点２について 
　まず、補助ランプの点灯制御について検討する。
　遊技機の技術分野において、サブ制御装置が、可動演出表示装置が隠蔽位置にあるとき、演出表示装置の周囲に設けた補助ランプを点灯制御することは、周知の技術である（以下、「周知の技術事項２」という。）。
（必要ならば、例えば、特開２０１１−１１０１７０号公報の【００７７】〜【００７８】、【０１４８】〜【０１５５】、【図９】には、表示制御基板８０に設けられた表示制御用マイクロコンピュータが、シャッター役物２６ａ、２６ｂの駆動制御、周辺ランプ２５ａ〜２５ｄやシャッターランプ２６ｃの発光制御、液晶表示装置９の表示制御を行い、変動パターンとしてスーパーリーチＢが選択された場合のリーチ表示態様として、シャッター役物２６ａ、２６ｂが一旦閉じられ、液晶表示装置９の画像を遊技者が視認できなくなる状態で、周辺ランプ２５ａ〜２５ｄが暗めに点灯されるとともに、シャッター役物２６ａ、２６ｂに配置されたシャッターランプ２６ｃが点灯されることにより×字描画演出を行うことが記載されている。
　また、例えば、特開２０１３−１０２７８２号公報の【０３９０】〜【０３９５】、【図１０１】には、演出制御装置３００が、シャッターユニット（遮蔽部材）１５００を遮蔽状態に変換するとともに、表示装置４１を通常状態から当該通常状態よりも電力消費を抑えた省電力状態（低輝度状態）に変換するように構成され、シャッターユニット１５００が遮蔽状態となって各シャッターで表示装置４１の表示領域Ｒが遮蔽されたとき、演出制御装置３００は、当該表示装置４１の周囲に設けられたＬＥＤが所定の発光態様で発光するように制御することが記載されている。）
　次に、省電力設定状態制御について検討する。
　上記刊行物２記載事項における「パチンコ遊技機」、「演出制御装置220」、「液晶表示装置67」、「（液晶）表示画面」及び「所定の画像」は、それぞれ本件補正発明の「遊技機」、「サブ制御装置」、「演出表示装置」、「第１表示領域」及び「第１演出画像」に相当する。
　また、上記刊行物２記載事項では、移動板22の遮蔽時に、液晶表示装置67本体への電力を遮断する場合には、液晶表示装置67に対して、液晶表示画面に動画等が表示されるのに必要な電力の供給を遮断しているから、液晶表示装置67の表示画面には所定の画像は表示されていない状態にあり、これは、本件補正発明の「第１表示領域に第１演出画像を非表示状態」とすることに相当する。
　そして、上記刊行物２記載事項では、「液晶表示画面の表示の復帰が迅速に行われる程度の微弱な電力を供給し、電力供給制限状態（円滑復帰モードあるいは節電モード）」にしており、所定の画像が表示されていない状態から液晶表示画面の表示の復帰が迅速に行われるから、この「電力供給制限状態（円滑復帰モードあるいは節電モード）」は、本件補正発明の「当該非表示状態から即時前記第１演出画像を前記第１表示領域に表示可能な省電力設定状態」に相当する。
　
　さらに、補助ランプの点灯制御とともに省電力設定状態に制御することについて検討する。
　補助ランプ点灯制御に係る上記周知の技術事項２及び上記刊行物２記載事項は、いずれも、遊技機の演出表示装置が可動する部材により隠蔽されたときの、演出制御装置が行う演出制御に関するものであり、上記点灯制御は補助ランプに対して行われる制御であり、省電力設定状態制御は演出表示装置に対して行われる制御であって、それぞれが独立して行われる演出制御である。
　そして、引用発明、上記周知の技術事項２及び上記刊行物２記載事項は、いずれも、遊技機の演出表示装置の表示面が可動する部材により隠蔽されたり、開放されたりしたときの、遊技機の演出制御装置が行う演出制御に関するものである点で共通し、また、上述の演出制御により遊技者の興趣を高めるという課題を有している点で共通する。
　よって、引用発明において、パチンコ機１の第１表示手段１２が隠蔽されているときの第１表示手段１２の表示状態の制御について、上記刊行物２記載事項を適用し、当該第１表示手段１２の周囲における演出制御について、上記周知の技術事項２を適用して、第１表示手段１２の周囲に設けられた補助ランプの点灯制御とともに第１表示手段１２を省電力設定状態に制御するように構成することにより、上記相違点２に係る本件補正発明の構成を得るようにしたことに当業者ならば格別の困難性はない。
（５）審判請求人の主張について 
　審判請求書において、請求人は、
「補正後の本願発明は、補正後の構成要件を具備することにより、次のような効果を奏します。 
（ａ）可動演出表示装置が、通常遊技状態において隠蔽位置で演出画像を表示しつつ、演出表示装置の表示領域を隠蔽し、通常遊技状態から特定遊技状態に移行したことに基づいて開放位置に移動して、演出表示装置の表示領域の演出画像を視認可能とすることによって、通常遊技状態から特定遊技状態に移行すること、あるいはその前兆を明瞭に表現すると共に、斬新な演出や変化に富んだ多彩な演出を実行することができる。 
（ｂ）演出表示装置は、可動演出表示装置により隠蔽されているときに、即時第１演出画像を表示可能な省電力設定状態となるため、不要な電力の消費を抑えることができる。 
（ｃ）演出表示装置が省電力設定状態であっても、演出表示装置の周囲に設けた補助ランプの点灯により、視覚的に起動している状態とほぼ変わらない状態（明るさや色彩等）を維持しつつ省エネルギー状態を保つことができる。 
　これに対し、引用文献２には、移動板が退避したときにはすぐに液晶表示画面に動画が表示されるために、液晶表示装置の画面表示の復帰が迅速に行われる程度の微弱な電力を供給する点の開示があることに異論はありません。 
　しかしながら、本願発明のように、可動演出表示装置が隠蔽位置にあるとき、演出表示装置の周囲に設けた補助ランプを点灯する点については、引用文献１、２には開示も示唆もありません。 
　よって、引用文献１、２に記載された発明では、上記した本願発明の効果のうち（ｃ）の効果を奏することはありません。このことから、本願発明は、引用文献１、２には開示も示唆もない独自の技術的思想であり、引用文献１、２には本願発明に至る動機付けもないものであります。」
と主張している。
（「３．本願発明が特許されるべき理由」「（４）補正後の本願発明と引用文献との対比」を参照） 
　この主張について検討すると、上記（４）「イ　相違点２について」で検討したように、遊技機の演出表示装置が可動する部材により隠蔽されたときの演出制御装置が行う演出制御として、補助ランプを点灯制御することは、周知の技術であり、また、演出表示装置を省電力設定状態に制御することは、刊行物２に記載された事項である。
　そして、引用発明、上記周知の技術事項２及び上記刊行物２記載事項は、いずれも、遊技機の演出表示装置の表示面が可動する部材により隠蔽されたり、開放されたりしたときの、遊技機の演出制御装置が行う演出制御に関するものである点で共通し、また、上述の演出制御により遊技者の興趣を高めるという課題を有している点で共通するから、引用発明において、パチンコ機１の第１表示手段１２が隠蔽されているときの第１表示手段１２の表示状態の制御について、上記刊行物２記載事項を適用し、当該第１表示手段１２の周囲における演出制御について、上記周知の技術事項２を適用して、第１表示手段１２の周囲に設けられた補助ランプの点灯制御とともに第１表示手段１２を省電力設定状態に制御するように構成することにより、上記相違点２に係る本件補正発明の構成を得るようにしたことに当業者ならば格別の困難性はない。
　さらに、上記請求人が主張する効果は、引用発明、刊行物２記載事項並びに上記周知の技術事項１及び２から当業者が予測し得た範囲のものであり格別なものとはいえない。 
　よって、請求人の主張は採用できない。 
  
（６）小括 
　よって、本件補正発明は、引用発明、刊行物２記載事項並びに周知の技術事項１及び２に基づいて当業者が容易に発明をすることができたものであり、特許法第２９条第２項の規定により特許出願の際独立して特許を受けることができない。 
  
４．むすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。 
 
第３　本願発明について
１．本願発明 
　本件補正発明は、上記第２において述べたとおり却下されたので、本願の請求項１に係る発明（以下、「本願発明」という。）は、平成２９年５月２２日付けの手続補正書により補正された、上記第２の「１．本件補正の概要」において本件補正前として記載された次のとおりのものである。
  「【請求項１】 
　遊技球が流下可能な遊技領域を形成する遊技盤と、
　前記遊技盤に配置され、遊技に係る第１演出画像を表示可能な第１表示領域を有する演出表示装置と、
　前記遊技に係る第２演出画像を表示可能な第２表示領域を有し、前記演出表示装置の前記第１表示領域を隠蔽可能な隠蔽位置及び前記隠蔽位置において隠蔽した前記第１表示領域を視認可能とする開放位置に移動可能な可動演出表示装置とを備え、
　前記可動演出表示装置は、前記隠蔽位置で前記第２表示領域に前記第２演出画像を表示可能とし、
　前記演出表示装置は、前記可動演出表示装置が前記開放位置に移動したことによって視認可能となる前記第１表示領域に前記第１演出画像を表示可能とし、
　前記可動演出表示装置が前記開放位置に移動して前記演出表示装置と並列することによって、連続する前記第１表示領域及び前記第２表示領域に亘って第３演出画像を表示可能とすることを特徴とする遊技機。」 
２．原査定における拒絶の理由の概要
　原査定の拒絶の理由は、
理由１（新規性）
　この出願の請求項１〜３に係る発明は、その出願前に日本国内において、頒布された以下の引用文献１に記載された発明であるから、特許法第２９条第１項第３号に該当し、特許を受けることができない。
理由２（進歩性）
　この出願の請求項１〜３に係る発明は、その出願前に日本国内において、頒布された以下の引用文献１に記載された発明に基いて、その出願前にその発明の属する技術の分野における通常の知識を有する者が容易に発明をすることができたものであるから、特許法第２９条第２項の規定により特許を受けることができない。
　この出願の請求項４に係る発明は、その出願前に日本国内において、頒布された以下の引用文献１〜２に記載された発明に基いて、その出願前にその発明の属する技術の分野における通常の知識を有する者が容易に発明をすることができたものであるから、特許法第２９条第２項の規定により特許を受けることができない。
　というものである。
　引用文献１．特開２００２−１０２４５１号公報
　引用文献２．特開２００７−２９６００４号公報
３．引用文献 
　原査定の拒絶の理由に引用された引用文献１の記載事項及び引用発明は、上記第２の［理由］３．（２）（２−１）「刊行物１に記載された事項」に記載したとおりである。 
４．対比・判断 
　本願発明は、本件補正発明の発明特定事項から、上記第２の「１．本件補正の概要」で示した下線部に係る事項を省いたものであるから、本件補正の前後でその内容において実質的な変更を伴わないものを除けば、上記第２の３．（３）で示した［相違点２］に係る構成（「サブ制御装置」の制御に係る事項）が省かれることとなる。 
　そうすると、本願発明と引用発明とは、上記第２の３．（３）で示した［相違点１］と同様の相違点のみで相違し、当該相違点１については、（４）「ア　相違点１について」で示したとおりであるから、本願発明は、本件補正発明と同様に、引用発明及び周知の技術事項１に基づいて、当業者が容易になし得たものである。 
第４　むすび 
　以上のとおりであるから、本願発明は、特許法第２９条第２項の規定により特許を受けることができない。 
　したがって、他の請求項に係る発明について検討するまでもなく、本願は拒絶すべきものである。 
  
　よって、結論のとおり審決する。